(57)【要約】【課題】  交換局装置と加入者モデム間の不要な通信を排除しつつ、ＩＰアドレスの効率的な運用を図る。【解決手段】  加入者端末機９とインターフェーシングするための第１インターフェース２と、加入者端末機９に通信用のＩＰアドレスを割り当てるとともに通信を行う交換局装置１０とインターフェーシングするための第２インターフェース３と、加入者端末機９と交換局装置１０との通信状態を監視する加入者端末機接続状態検出部４と、加入者端末機９に割り当てられたＩＰアドレスを保持するＲＡＭ７ｂ内のＩＰアドレステーブルと、加入者端末機接続状態検出部４が、通信状態が所定期間途絶していることを検出したとき、交換局装置１０に対し、ＩＰアドレスを加入者端末機９からリリースさせる制御を行う制御部８、とを備えた加入者モデム１。【選択図】図１
2006121214.tif 000002
【特許請求の範囲】
【請求項１】
加入者端末機とインターフェーシングするための第１インターフェースと、
前記加入者端末機に通信用のＩＰアドレスを割り当てるとともに通信を行う交換局装置とインターフェーシングするための第２インターフェースと、
前記加入者端末機と前記交換局装置との通信状態を監視する監視手段と、
前記加入者端末機に割り当てられたＩＰアドレスを保持するＩＰアドレステーブルと、
前記監視手段が、前記通信状態が所定期間途絶していることを検出したとき、前記交換局装置に対し、前記ＩＰアドレスを前記加入者端末機からリリースさせる制御を行う制御手段、
とを備えたモデム。
【請求項２】
前記制御手段は、前記ＩＰアドレスを、前記リリースさせる命令の送信後も前記ＩＰアドレステーブルに保持しておき、加入者端末機と前記交換局装置とが通信を行う場合、その交換局装置に割り当てられているＩＰアドレスが、前記ＩＰアドレステーブルに保持している前記ＩＰアドレスである場合は、その加入者端末機に対し、割り当てられているＩＰアドレスを破棄する旨の命令を送信する制御を行う、
請求項１に記載のモデム。
【請求項３】
自らが前記交換局装置と通信するためのＩＰアドレスが、前記交換局装置から割り当てられており、
前記制御手段は、前記ＩＰアドレステーブルに保持されたＩＰアドレスが、全てリリースされた状態となったとき、前記交換局装置に対し、前記自らに割り当てられたＩＰアドレスをリリースさせる制御を行う、
請求項１に記載のモデム。
【請求項４】
加入者端末機に通信用のＩＰアドレスを割り当て通信を行う交換局装置と自らも通信するためのＩＰアドレスが、前記交換局装置から割り当てられているモデムであって、
前記加入者端末機とインターフェーシングするための第１インターフェースと、
前記交換局装置とインターフェーシングするための第２インターフェースと、
前記加入者端末機と前記交換局装置との通信状態を監視する監視手段と、
前記監視手段が、全ての前記加入者端末機と前記交換局装置との通信状態が所定期間途絶していることを検出したとき、前記交換局装置に対し、自らに割り当てられたＩＰアドレスをリリースさせる制御を行う制御手段、
とを備えたモデム。
【請求項５】
前記監視手段が、前記加入者端末機のいずれかが前記交換局装置との通信状態を復帰させようとしていることを検知した場合、前記制御手段は、前記交換局装置に対し、通信開始の旨の命令を送信する制御を行う、
請求項３または４に記載のモデム。
【請求項６】
前記制御手段は、前記ＩＰアドレスをリリースさせる命令を出す前に、前記交換局装置に対し、前記命令およびモデム制御用の通信以外の受信以外の通信を停止する旨の命令を送信する制御を行う、
請求項１または４に記載のモデム。
【請求項７】
加入者端末機とインターフェーシングするための第１インターフェースと、
前記加入者端末機に通信用のＩＰアドレスを割り当てるとともに通信を行う交換局装置とインターフェーシングするための第２インターフェースとを用いた、前記加入者端末機と前記交換局装置との通信を制御する通信制御方法であって、
前記加入者端末機と前記交換局装置との通信状態を監視する監視工程と、
前記加入者端末機に割り当てられたＩＰアドレスを保持する工程と、
前記監視工程が、前記通信状態が所定期間途絶していることを検出したとき、前記交換局装置に対し、前記ＩＰアドレスを前記加入者端末機からリリースさせる制御を行う制御工程と、を備えた通信制御方法。
【請求項８】
加入者端末機に通信用のＩＰアドレスを割り当て通信を行う交換局装置と自らも通信するためのＩＰアドレスが、前記交換局装置から割り当てられており、前記加入者端末機とインターフェーシングするための第１インターフェースと、前記交換局装置とインターフェーシングするための第２インターフェースとを用いた、前記加入者端末機と前記交換局装置との通信を制御する通信制御方法であって、
前記加入者端末機と前記交換局装置との通信状態を監視する監視工程と、
前記監視工程が、接続されている全ての前記加入者端末機と前記交換局装置との通信状態が所定期間途絶していることを検出したとき、前記交換局装置に対し、自らに割り当てられたＩＰアドレスをリリースさせる制御を行う制御工程、
とを備えた通信制御方法。
【請求項９】
請求項７に記載の通信制御方法の、前記加入者端末機と前記交換局装置との通信状態を監視する監視工程と、前記加入者端末機に割り当てられたＩＰアドレスを保持する工程と、前記監視工程が、前記通信状態が所定期間途絶していることを検出したとき、前記交換局装置に対し、前記ＩＰアドレスを前記加入者端末機からリリースさせる制御を行う制御工程とをコンピュータに実行させるためのプログラム。
【請求項１０】
請求項８に記載の通信制御方法の、前記加入者端末機と前記交換局装置との通信状態を監視する監視工程と、前記監視工程が、接続されている全ての前記加入者端末機と前記交換局装置との通信状態が所定期間途絶していることを検出したとき、前記交換局装置に対し、自らに割り当てられたＩＰアドレスをリリースさせる制御を行う制御工程とをコンピュータに実行させるためのプログラム。
【請求項１１】
請求項９または１０に記載のプログラムを担持した記録媒体であって、コンピュータにより処理可能な記録媒体。
【発明の詳細な説明】
【技術分野】
【０００１】
本発明は、加入者端末機と交換局装置との間に設けられ、データの送受信処理を行うモデム及びその通信の制御方法等に関するものである。
【背景技術】
【０００２】
現在、インターネットが急速に普及し、利用が増加している。主にＷｅｂ閲覧の利用頻度が高くなっているが、音楽や動画など高速な通信を必要とする利用も増加している。そのため、より高速な通信の必要性が高まっている。また、インターネットの普及に伴い、ＰＣ等の接続機器やルータ、モデムなどの機器も増加している。インターネットへの接続方式としては、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＰＮＡ（Ｐｈｏｎｅｌｉｎｅ  Ｎｅｔｗｏｒｋ  Ａｌｌｉａｎｃｅ）、ＤＯＣＳＩＳ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎｓ）などが適用される。
【０００３】
これらの通信方式による加入者モデムは、加入者端末機（ＰＣ等の機器）からの通信をいつでも処理できるように、加入者端末機からのデータ受信に関係なく交換局装置との通信チャンネルを維持する。
【０００４】
そのため、チャンネル維持のための不要な動作による加入者モデムの電力消費を抑えるように加入者モデムへ接続されている加入者端末機の接続状態検出手段を持つ加入者端末機接続状態検出部を有し、接続状態に応じて電源のオン、オフを行うモデムがある（例えば、特許文献１を参照）。
【０００５】
また、インターネット上にて加入者端末機が端末として機能するためには、ネットワーク上で一意なＩＰアドレスが付与される必要があるが、ＩＰアドレスの付与方法としては、（１）固定のＩＰアドレスをあらかじめ加入者モデムや加入者端末機に割り当てておく固定ＩＰアドレスによる運用、（２）ＤＨＣＰプロトコルを利用して、ＤＨＣＰサーバから加入者モデムや加入者端末機へ動的にＩＰアドレスを割り当てるＤＨＣＰによる運用の２つの方法があり、とりわけ上述したＡＤＳＬ等の一般家庭用等に対しては、（２）のＤＨＣＰサーバを用いた動的にＩＰアドレスの割り当てが広く用いられている。
【特許文献１】特開２００２−１１１９０５号
【発明の開示】
【発明が解決しようとする課題】
【０００６】
ケーブルモデム等の加入者モデムは、一度電源をオフにすると初期化作業に時間を要するため、電源がオンのままの方が良い場合がある。しかしながら、実際にインターネットを利用する際には、加入者端末機の電源がオフにされる、または、ケーブルがはずされるなどの非接続状態になっていても、加入者モデムの電源がオンのままであると不要な通信が行われる場合が生じてしまう。そのため、通信帯域が無駄に利用されるため、実効的な通信速度が低下してしまう。
【０００７】
また、上記のように、ＤＨＣＰサーバからＩＰアドレスが割り当てられる場合、加入者端末機は、自らＩＰアドレスのリリースを行うこともできるが、加入者端末機はＩＰアドレスのリリースを行わないまま非接続状態になる場合があるため、ＩＰアドレスが加入者端末機に保持されたままとなることから、多数の加入者端末機がＩＰアドレスを保持したままであるとＩＰアドレスが枯渇する恐れがある。
【０００８】
従来より、このような不具合に対しては、ＤＨＣＰでは、ＤＨＣＰサーバ側でＩＰアドレスの付与前に「リース期間」をあらかじめ適当な期間に設定しておくことにより、未使用の加入者端末機や加入者モデム等がＩＰアドレスを占有することを防いでいた。しかしながら、実際に通信を行う期間はユーザやその都度の利用状況により様々に変化するため、設定したリース期間より短時間で未使用状態になる加入者端末機等も多く、必要以上にＩＰアドレスを使用してしまう問題があった。
【０００９】
以上より、ネットワーク上においては、不要な通信を排除しつつ、未使用ＩＰアドレスを有効に利用することが必要となる。
【００１０】
本発明は、上記課題を解決するためになされたものであり、不要な通信を排除しつつ、ＩＰアドレスの効率的な運用を図ることを目的とする。
【課題を解決するための手段】
【００１１】
上記の目的を達成するために、第１の本発明は、加入者端末機とインターフェーシングするための第１インターフェースと、
前記加入者端末機に通信用のＩＰアドレスを割り当てるとともに通信を行う交換局装置とインターフェーシングするための第２インターフェースと、
前記加入者端末機と前記交換局装置との通信状態を監視する監視手段と、
前記加入者端末機に割り当てられたＩＰアドレスを保持するＩＰアドレステーブルと、
前記監視手段が、前記通信状態が所定期間途絶していることを検出したとき、前記交換局装置に対し、前記ＩＰアドレスを前記加入者端末機からリリースさせる制御を行う制御手段、
とを備えたモデムである。
【００１２】
また、第２の本発明は、前記制御手段は、前記ＩＰアドレスを、前記リリースさせる命令の送信後も前記ＩＰアドレステーブルに保持しておき、加入者端末機と前記交換局装置とが通信を行う場合、その交換局装置に割り当てられているＩＰアドレスが、前記ＩＰアドレステーブルに保持している前記ＩＰアドレスである場合は、その加入者端末機に対し、割り当てられているＩＰアドレスを破棄する旨の命令を送信する制御を行う、
第１の本発明のモデムである。
【００１３】
また、第３の本発明は、自らが前記交換局装置と通信するためのＩＰアドレスが、前記交換局装置から割り当てられており、
前記制御手段は、前記ＩＰアドレステーブルに保持されたＩＰアドレスが、全てリリースされた状態となったとき、前記交換局装置に対し、前記自らに割り当てられたＩＰアドレスをリリースさせる制御を行う、
第１の本発明のモデムである。
【００１４】
また、第４の本発明は、加入者端末機に通信用のＩＰアドレスを割り当て通信を行う交換局装置と自らも通信するためのＩＰアドレスが、前記交換局装置から割り当てられているモデムであって、
前記加入者端末機とインターフェーシングするための第１インターフェースと、
前記交換局装置とインターフェーシングするための第２インターフェースと、
前記加入者端末機と前記交換局装置との通信状態を監視する監視手段と、
前記監視手段が、全ての前記加入者端末機と前記交換局装置との通信状態が所定期間途絶していることを検出したとき、前記交換局装置に対し、自らに割り当てられたＩＰアドレスをリリースさせる制御を行う制御手段、
とを備えたモデムである。
【００１５】
また、第５の本発明は、前記監視手段が、前記加入者端末機のいずれかが前記交換局装置との通信状態を復帰させようとしていることを検知した場合、前記制御手段は、前記交換局装置に対し、通信開始の旨の命令を送信する制御を行う、
第３または第４の本発明のモデムである。
【００１６】
また、第６の本発明は、前記制御手段は、前記ＩＰアドレスをリリースさせる命令を出す前に、前記交換局装置に対し、前記命令およびモデム制御用の通信以外の受信以外の通信を停止する旨の命令を送信する制御を行う、
第１または第４の本発明のモデムである。
【００１７】
また、第７の本発明は、加入者端末機とインターフェーシングするための第１インターフェースと、
前記加入者端末機に通信用のＩＰアドレスを割り当てるとともに通信を行う交換局装置とインターフェーシングするための第２インターフェースとを用いた、前記加入者端末機と前記交換局装置との通信を制御する通信制御方法であって、
前記加入者端末機と前記交換局装置との通信状態を監視する監視工程と、
前記加入者端末機に割り当てられたＩＰアドレスを保持する工程と、
前記監視工程が、前記通信状態が所定期間途絶していることを検出したとき、前記交換局装置に対し、前記ＩＰアドレスを前記加入者端末機からリリースさせる制御を行う制御工程と、を備えた通信制御方法である。
【００１８】
また、第８の本発明は、加入者端末機に通信用のＩＰアドレスを割り当て通信を行う交換局装置と自らも通信するためのＩＰアドレスが、前記交換局装置から割り当てられており、前記加入者端末機とインターフェーシングするための第１インターフェースと、前記交換局装置とインターフェーシングするための第２インターフェースとを用いた、前記加入者端末機と前記交換局装置との通信を制御する通信制御方法であって、
前記加入者端末機と前記交換局装置との通信状態を監視する監視工程と、
前記監視工程が、接続されている全ての前記加入者端末機と前記交換局装置との通信状態が所定期間途絶していることを検出したとき、前記交換局装置に対し、自らに割り当てられたＩＰアドレスをリリースさせる制御を行う制御工程、
とを備えた通信制御方法である。
【００１９】
また、第９の本発明は、第７の本発明の通信制御方法の、前記加入者端末機と前記交換局装置との通信状態を監視する監視工程と、前記加入者端末機に割り当てられたＩＰアドレスを保持する工程と、前記監視工程が、前記通信状態が所定期間途絶していることを検出したとき、前記交換局装置に対し、前記ＩＰアドレスを前記加入者端末機からリリースさせる制御を行う制御工程とをコンピュータに実行させるためのプログラムである。
【００２０】
また、第１０の本発明は、第８の本発明の通信制御方法の、前記加入者端末機と前記交換局装置との通信状態を監視する監視工程と、前記監視工程が、接続されている全ての前記加入者端末機と前記交換局装置との通信状態が所定期間途絶していることを検出したとき、前記交換局装置に対し、自らに割り当てられたＩＰアドレスをリリースさせる制御を行う制御工程とをコンピュータに実行させるためのプログラムである。
【００２１】
また、第１１の本発明は、第９または第１０の本発明のプログラムを担持した記録媒体であって、コンピュータにより処理可能な記録媒体である。
【００２２】
上述した本発明は、加入者端末機の接続状態を検出し、検出結果が非接続状態のとき、加入者モデムと交換局装置との間の不要な通信を停止し、効率的な通信を行うことで実効的な通信速度の高速化を図る。また、検出結果が非接続状態のとき、各々の加入者端末機のＩＰアドレスをリリースしていき、加入者モデムに接続された加入者端末機が全て無くなった場合、加入者モデム自身のＩＰアドレスのリリースも行うことでＩＰアドレスの効率的な運用を図る（交換局装置には、複数の加入者モデムを配下に持つ親機モデム等の機器も含む）。
【発明の効果】
【００２３】
本発明により、ネットワーク上において帯域を占有する不要な通信を排除しつつ、ＩＰアドレスの効率的な運用が可能となる。
【発明を実施するための最良の形態】
【００２４】
以下に、本発明の実施の形態について、図面を参照しながら説明する。
【００２５】
（実施の形態１）
図１は本発明の実施の形態による加入者モデムのブロック図を示したものである。
【００２６】
加入者モデム１は、第１インターフェース２、第２インターフェース３、加入者端末機接続状態検出部４およびタイマ５、ＲＯＭ７ａおよびＲＡＭ７ｂからなる記憶装置７、制御部８とを備える。さらに、タイマ５の値を設定する設定部６を備えていてもよい。
【００２７】
第１インターフェース２は加入者端末機９とのデータ送受信を処理する。第１インターフェース２は、イーサネット（登録商標）、ＵＳＢ（Ｕｎｉｖｅｒｓａｌ  ｓｅｒｉａｌ  ｂｕｓ）、ＰＮＡ（Ｐｈｏｎｅｌｉｎｅ  Ｎｅｔｗｏｒｋ  Ａｌｌｉａｎｃｅ）、ブルートゥース、無線ＬＡＮ、ホームＲＦのような通信方式を使用して加入者端末機９とインターフェーシングできるようになっている。
【００２８】
第２インターフェース３は交換局装置１０とのデータ送受信を処理する。第２インターフェース３は、イーサネット（登録商標）、電話線、同軸ケーブル、ＰＬＣ（Ｐｏｗｅｒ  Ｌｉｎｅ  Ｃｏｍｍｕｎｉｃａｔｉｏｎ）のようなメディアを使用して交換局装置１０へインターフェーシングできるようになっている。なお、加入者モデム１の構成は、以下の各実施の形態に共通である。
【００２９】
また、上記の構成において、第１インタフェース２は本発明の第１インタフェースに相当し、第２インターフェース３は本発明の第２インタフェースに相当する。また、加入者端末機接続状態検出部４は本発明の監視手段に相当し、ＲＡＭ７ｂに設定されているＩＰアドレステーブルは、本発明のＩＰアドレステーブルに相当する。また、制御部８は本発明の制御手段に相当する。
【００３０】
以下、図１および図２を参照して本実施の形態による加入者モデム１の基本的な動作例を説明する。ただし図２は加入者モデム１の動作を示すフローチャートである。
【００３１】
まず、最初に加入者モデム１の初期化が行われる（Ｓ１１）。そして、タイマ５に設定部６から検出期間Ｔを設定し（Ｓ１２）、タイマ５を起動する（Ｓ１３）。このとき、検出期間Ｔはあらかじめ設定された値を使用してもよい。
【００３２】
この後、加入者端末機接続状態検出部４は、加入者モデム１と加入者端末機９間の送受信データの存在を示す信号が授受されているか否かを監視し、前記信号が授受されていない状態が検出期間Ｔ継続しているか否か、すなわち非接続状態を検出する（Ｓ１４）。
制御部８は、加入者端末機接続状態検出部４において加入者端末機９の非接続状態が検出された場合にタイマ５を停止し（Ｓ１５）、交換局装置１０へ通信停止信号を送信する（Ｓ１６）。通信停止信号を受信した交換局装置１０は、管理用の通信を除いた加入者モデム１との間のデータの中継を停止する。その後、再度タイマ５を起動する（Ｓ１３）。
【００３３】
一方、加入者端末機接続状態検出部４において加入者端末機９の接続状態が検出された場合はタイマ５を停止し（Ｓ１７）、交換局装置１０から加入者モデム１との間のデータの中継が停止中の場合、加入者モデム１は交換局装置１０へ通信開始信号を送信する（Ｓ１９）。通信開始信号を受信した交換局装置１０は、加入者モデム１との間のデータの中継を再開する。その後、再度タイマ５を起動する（Ｓ１３）。
【００３４】
（実施の形態２）
次に、図１および図３を参照して、本発明の実施の形態２による加入者モデム１の基本的な動作を説明するとともに、これにより、本発明の通信制御方法の一実施の形態について説明を行う。
【００３５】
まず、最初に加入者モデム１の初期化が行われる（Ｓ２０）。そして、タイマ５に設定部６から検出期間Ｔを設定し（Ｓ２１）、タイマ５を起動する（Ｓ２２）。このとき、検出期間Ｔはあらかじめ設定された値を使用してもよい。
【００３６】
この後、加入者端末機接続状態検出部４は、加入者モデム１と加入者端末機９との間に送受信データの存在を示す信号が授受されているか否かを監視し、前記信号が授受されていない状態が検出期間Ｔだけ継続しているか否かを判断する。検出期間Ｔだけ継続している場合は、この状態を非接続状態として検出する（Ｓ２３）。
【００３７】
制御部８は、加入者端末機接続状態検出部４において加入者端末機９の非接続状態が検出された場合にタイマ５を停止し（Ｓ２４）、交換局装置１０へ通信停止信号を送信する（Ｓ２５）。通信停止信号を受信した交換局装置１０は、管理用の通信を除いた加入者モデム１との間のデータの中継を停止する。
【００３８】
加入者モデム１は、記憶装置７のＲＡＭ７ｂに、接続された加入者端末機９に配布されたＩＰアドレスを保持するＩＰアドレステーブルを持ち、非接続状態が検出された加入者端末機９のＩＰアドレスがＩＰアドレステーブルに残っているかどうかを判定する（Ｓ２６）。ＩＰアドレステーブルにＩＰアドレスがまだ残っている場合には、加入者端末機９のＩＰアドレスを代理でリリースし（ＤＨＣＰ  ＲＥＬＥＡＳＥメッセージを交換局装置１０へ送信する）、そのＩＰアドレスを代理リリース済ＩＰアドレスとして保存する（Ｓ２７）。その後、再度タイマ５を起動する（Ｓ２２）。
【００３９】
一方、加入者端末機接続状態検出部４において、加入者端末機９の接続状態が検出された場合はタイマ５を停止し（Ｓ２８）、ＩＰアドレステーブルに代理リリース済ＩＰアドレスとして保存されているかを判定する（Ｓ２９）。代理リリース済ＩＰアドレスであった場合、加入者モデム１は加入者端末機９へＤＨＣＰ  ＮＡＫメッセージを送信し（Ｓ３０）、ＩＰアドレステーブルから代理リリース済ＩＰアドレスを消去する。そして、交換局装置１０が加入者モデム１との間のデータの中継が停止中かどうかを判定し（Ｓ３１）、停止中の場合、加入者モデム１は交換局装置１０へ通信開始信号を送信する（Ｓ３２）。
【００４０】
通信開始信号を受信した交換局装置１０は、加入者モデム１との間のデータの中継を再開する。このとき、交換局装置１０は、加入者端末機９に対して新たなＩＰアドレスを配布するが、制御部８は新たなＩＰアドレスを、ＲＡＭ７ｂのＩＰアドレステーブルに保存しておき、次回の動作に備える。
【００４１】
最後に、その後、再度タイマ５を起動する（Ｓ２２）。
【００４２】
以上のように、本実施の形態によれば、加入者モデム１側で、交換局装置１０と加入者端末機９との間の通信状態を監視し、これに基づき交換局装置１０側に、ＩＰアドレスをリリースさせるようにした。これにより、加入者端末機９がネットワークに接続していない場合、速やかにＩＰアドレスを開放して、交換局装置１０側がＩＰアドレスを有効に活用することができる。
【００４３】
なお、上記の動作においては、Ｓ２５にて通信停止信号を送信し、交換局装置１０との通信を止める制御を行ったが、この動作を省略し、即座にＩＰアドレスを代理リリースする動作を行うようにしてもよい。交換局装置１０側でＤＨＣＰ  ＲＥＬＥＡＳＥメッセージが処理されると、交換局装置１０と加入者端末機９との通信は結果的に停止する。
【００４４】
（実施の形態３）
次に、図１および図４を参照して、本発明の実施の形態３による加入者モデム１の基本的な動作を説明するとともに、これにより、本発明の通信制御方法の一実施の形態について説明を行う。また、加入者モデム１は、複数の加入者端末機９が接続可能であり、複数の加入者端末機９は、それぞれ交換局装置１０からＩＰアドレスが配布されているものとする。
【００４５】
まず、最初に加入者モデム１の初期化が行われる（Ｓ３３）。そして、タイマ５に設定部６から検出期間Ｔを設定し（Ｓ３４）、タイマ５を起動する（Ｓ３５）。このとき、検出期間Ｔはあらかじめ設定された値を使用してもよい。
【００４６】
この後、加入者端末機接続状態検出部４は、加入者モデム１と加入者端末機９間の送受信データの存在を示す信号が授受されているか否かを監視し、前記信号が授受されていない状態が検出期間Ｔ継続しているか否か、すなわち実施の形態２と同様の非接続状態を検出する（Ｓ３６）。
【００４７】
制御部８は、加入者端末機接続状態検出部４において、全ての加入者端末機９の非接続状態が検出された場合にタイマ５を停止し（Ｓ３７）、交換局装置１０へ通信停止信号を送信する（Ｓ３８）。通信停止信号を受信した交換局装置１０は、管理用を除いた加入者モデム１との間のデータの中継を停止する。さらに、加入者モデム１のＩＰアドレスをリリースする（Ｓ３９）。その後、再度タイマ５を起動する（Ｓ３５）。
【００４８】
一方、加入者端末機接続状態検出部４において、いずれかの加入者端末機９の接続状態が検出された場合はタイマ５を停止する（Ｓ４０）。そして、交換局装置１０から加入者モデム１との間のデータの中継が停止中かどうかを判定し（Ｓ４１）、停止中の場合、加入者モデム１は交換局装置１０へ通信開始信号を送信する（Ｓ４２）。通信開始信号を受信した交換局装置１０は、加入者モデム１との間のデータの中継を再開する。実施の形態２同様、交換局装置１０から、加入者端末機９に対して新たなＩＰアドレスを配布されると、制御部８は新たなＩＰアドレスを、ＲＡＭ７ｂのＩＰアドレステーブルに保存しておき、次回の動作に備える。最後に、再度タイマ５を起動する（Ｓ３５）。
【００４９】
以上のように、本実施の形態によれば、加入者モデム１側で、交換局装置１０と加入者端末機９との間の通信状態を監視し、これに基づき交換局装置１０側に、自らのＩＰアドレスをリリースさせるようにした。これにより、加入者端末機９がネットワークに接続していない場合、速やかにＩＰアドレスを開放して、交換局装置１０側がＩＰアドレスを有効に活用することができる。
【００５０】
なお、上記の動作においては、Ｓ３８にて通信停止信号を送信し、交換局装置１０との通信を止める制御を行ったが、この動作を省略し、即座にＩＰアドレスを代理リリースする動作を行うようにしてもよい。交換局装置１０側でＤＨＣＰ  ＲＥＬＥＡＳＥメッセージが処理されると、交換局装置１０と加入者モデム１および加入者端末機９との通信は結果的に停止する。
【００５１】
（実施の形態４）
次に、図１および図５を参照して、本発明の実施の形態４による加入者モデム１の基本的な動作を説明するとともに、これにより、本発明の通信制御方法の一実施の形態について説明を行う。また、加入者モデム１は、複数の加入者端末機９が接続可能であり、複数の加入者端末機９は、それぞれ交換局装置１０からＩＰアドレスが配布されているものとする。
【００５２】
まず、最初に加入者モデム１の初期化が行われる（Ｓ４３）。そして、タイマ５に設定部６から検出期間Ｔを設定し（Ｓ４４）、タイマ５を起動する（Ｓ４５）。このとき、検出期間Ｔはあらかじめ設定された値を使用してもよい。
【００５３】
この後、加入者端末機接続状態検出部４は、加入者モデム１と加入者端末機９間の送受信データの存在を示す信号が授受されているか否かを監視し、前記信号が授受されていない状態が検出期間Ｔ継続しているか否か、すなわち実施の形態２と同様の非接続状態を検出する（Ｓ４６）。
【００５４】
制御部８は、加入者端末機接続状態検出部４において加入者端末機９の非接続状態が検出された場合にタイマ５を停止し（Ｓ４７）、交換局装置１０へ通信停止信号を送信する（Ｓ４８）。通信停止信号を受信した交換局装置１０は、管理用を除いた加入者モデム１との間のデータの中継を停止する。加入者モデム１は、非接続状態が検出された加入者端末機９のＩＰアドレスが、ＲＡＭ７ｂのＩＰアドレステーブルに残っているかどうかを判定する（Ｓ４９）。ＩＰアドレステーブルにＩＰアドレスがまだ残っている場合には、加入者端末機９のＩＰアドレスを代理でリリースし（ＤＨＣＰ  ＲＥＬＥＡＳＥメッセージを交換局装置１０へ送信する）、そのＩＰアドレスを代理リリース済ＩＰアドレスとして保存する（Ｓ５０）。そして、ＩＰアドレステーブルに代理リリース済ＩＰアドレス以外にＩＰアドレスが残っていないかを判定し（Ｓ５１）、残っていない場合には加入者モデム１自身のＩＰアドレスをリリースする（Ｓ５２）。その後、再度タイマ５を起動する（Ｓ４５）。
【００５５】
一方、加入者端末機接続状態検出部４において加入者端末機９の接続状態が検出された場合はタイマ５を停止し（Ｓ５３）、ＩＰアドレステーブルに代理リリース済ＩＰアドレスとして保存されているかを判定する（Ｓ５４）。代理リリース済ＩＰアドレスであった場合、加入者モデム１は加入者端末機９へＤＨＣＰ  ＮＡＫメッセージを送信し（Ｓ５５）、ＩＰアドレステーブルから代理リリース済ＩＰアドレスを消去する。そして、交換局装置１０から加入者モデム１との間のデータの中継が停止中かどうかを判定し（Ｓ５６）、停止中の場合、加入者モデム１は交換局装置１０へ通信開始信号を送信する（Ｓ５７）。通信開始信号を受信した交換局装置１０は、加入者モデム１との間のデータの中継を再開する。実施の形態２と同様、交換局装置１０は、加入者端末機９に対して新たなＩＰアドレスを配布するが、制御部８は新たなＩＰアドレスを、ＲＡＭ７ｂのＩＰアドレステーブルに保存しておき、次回の動作に備える。その後、再度タイマ５を起動する（Ｓ４５）。
【００５６】
以上のように、本実施の形態によれば、加入者モデム１側で、交換局装置１０と加入者端末機９との間の通信状態を監視し、これに基づき交換局装置１０側に、加入者端末機９および自らのＩＰアドレスをリリースさせるようにした。これにより、加入者端末機９がネットワークに接続していない場合、速やかにＩＰアドレスを開放して、交換局装置１０側がＩＰアドレスを有効に活用することができる。
【００５７】
なお、上記の動作においては、Ｓ４８にて通信停止信号を送信し、交換局装置１０との通信を止める制御を行ったが、この動作を省略し、即座にＩＰアドレスを代理リリースする動作を行うようにしてもよい。交換局装置１０側でＤＨＣＰ  ＲＥＬＥＡＳＥメッセージが処理されると、交換局装置１０と加入者端末機９との通信は結果的に停止する。
【００５８】
（実施の形態５）
次に、図１および図６を参照して、本発明の実施の形態５による加入者モデム１の基本的な動作を説明するとともに、これにより、本発明の通信制御方法の一実施の形態について説明を行う。
【００５９】
まず、最初に加入者モデム１の初期化が行われる（Ｓ５８）。そして、タイマ５に設定部６から検出期間Ｔを設定し（Ｓ５９）、タイマ５を起動する（Ｓ６０）。このとき、検出期間Ｔはあらかじめ設定された値を使用してもよい。
【００６０】
この後、加入者端末機接続状態検出部４は、加入者モデム１と加入者端末機９間の送受信データの存在を示す信号が授受されているか否かを監視し、前記信号が授受されていない状態が検出期間Ｔ継続しているか否か、すなわち実施の形態２と同様の非接続状態を検出する（Ｓ６１）。
【００６１】
制御部８は、加入者端末機接続状態検出部４において加入者端末機９の非接続状態が検出された場合にタイマ５を停止する（Ｓ６２）。加入者モデム１は、非接続状態が検出された加入者端末機９のＩＰアドレスが、ＲＡＭ７ｂのＩＰアドレステーブルに残っているかどうかを判定する（Ｓ６３）。ＩＰアドレステーブルにＩＰアドレスがまだ残っている場合には、加入者端末機９のＩＰアドレスを代理でリリースし（ＤＨＣＰ  ＲＥＬＥＡＳＥメッセージを交換局装置１０へ送信する）、そのＩＰアドレスを代理リリース済ＩＰアドレスとして保存する（Ｓ６４）。その後、再度タイマ５を起動する（Ｓ６０）。なお、交換局装置１０側でＤＨＣＰ  ＲＥＬＥＡＳＥメッセージが処理されると、交換局装置１０と加入者端末機９との通信は結果的に停止する。
【００６２】
一方、加入者端末機接続状態検出部４において加入者端末機９の接続状態が検出された場合はタイマ５を停止し（Ｓ６５）、ＩＰアドレステーブルに代理リリース済ＩＰアドレスとして保存されているかを判定する（Ｓ６６）。代理リリース済ＩＰアドレスであった場合、加入者モデム１は加入者端末機９へＤＨＣＰ  ＮＡＫメッセージを送信し（Ｓ６７）、ＩＰアドレステーブルから代理リリース済ＩＰアドレスを消去する。その後、再度タイマ５を起動する（Ｓ６０）。
【００６３】
以上のように、本実施の形態によれば、加入者モデム１側で、交換局装置１０と加入者端末機９との間の通信状態を監視し、これに基づき交換局装置１０側に、加入者端末機９のＩＰアドレスをリリースさせるようにした。これにより、加入者端末機９がネットワークに接続していない場合、速やかにＩＰアドレスを開放して、交換局装置１０側がＩＰアドレスを有効に活用することができる。
【００６４】
（実施の形態６）
次に、図１および図７を参照して、本発明の実施の形態６による加入者モデム１の基本的な動作を説明するとともに、これにより、本発明の通信制御方法の一実施の形態について説明を行う。また、加入者モデム１は、複数の加入者端末機９が接続可能であり、複数の加入者端末機９は、それぞれ交換局装置１０からＩＰアドレスが配布されているものとする。
【００６５】
まず、最初に加入者モデム１の初期化が行われる（Ｓ６８）。そして、タイマ５に設定部６から検出期間Ｔを設定し（Ｓ６９）、タイマ５を起動する（Ｓ７０）。このとき、検出期間Ｔはあらかじめ設定された値を使用してもよい。
【００６６】
この後、加入者端末機接続状態検出部４は、加入者モデム１と加入者端末機９間の送受信データの存在を示す信号が授受されているか否かを監視し、前記信号が授受されていない状態が検出期間Ｔ継続しているか否か、すなわち実施の形態２と同様の非接続状態を検出する（Ｓ７１）。
【００６７】
制御部８は、加入者端末機接続状態検出部４において加入者端末機９の非接続状態が検出された場合にタイマ５を停止する（Ｓ７２）。加入者モデム１は、接続されている全ての非接続状態が検出された加入者端末機９のＩＰアドレスがＲＡＭ７ｂのＩＰアドレステーブルに残っているかどうかを判定する（Ｓ７３）。ＩＰアドレステーブルにＩＰアドレスがまだ残っている場合には、加入者端末機９のＩＰアドレスを代理でリリースし（ＤＨＣＰ  ＲＥＬＥＡＳＥメッセージを交換局装置１０へ送信する）、そのＩＰアドレスを代理リリース済ＩＰアドレスとして保存する（Ｓ７４）。そして、ＩＰアドレステーブルに代理リリース済ＩＰアドレス以外にＩＰアドレスが残っていないかを判定し（Ｓ７５）、残っていない場合には加入者モデム１自身のＩＰアドレスをリリースする（Ｓ７６）。その後、再度タイマ５を起動する（Ｓ７０）。なお、交換局装置１０側でＤＨＣＰ  ＲＥＬＥＡＳＥメッセージが処理されると、交換局装置１０と加入者端末機９との通信は結果的に停止する。
【００６８】
一方、加入者端末機接続状態検出部４において加入者端末機９の接続状態が検出された場合はタイマ５を停止し（Ｓ７７）、ＩＰアドレステーブルに代理リリース済ＩＰアドレスとして保存されているかを判定する（Ｓ７８）。代理リリース済ＩＰアドレスであった場合、加入者モデム１は加入者端末機９へＤＨＣＰ  ＮＡＫメッセージを送信し（Ｓ７９）、ＩＰアドレステーブルから代理リリース済ＩＰアドレスを消去する。実施の形態２同様、交換局装置１０から、加入者端末機９に対して新たなＩＰアドレスを配布されると、制御部８は新たなＩＰアドレスを、ＲＡＭ７ｂのＩＰアドレステーブルに保存しておき、次回の動作に備える。最後に、再度タイマ５を起動する（Ｓ７０）。
【００６９】
以上のように、本実施の形態によれば、加入者モデム１側で、交換局装置１０と加入者端末機９との間の通信状態を監視し、これに基づき交換局装置１０側に、加入者端末機９および自らのＩＰアドレスをリリースさせるようにした。これにより、加入者端末機９がネットワークに接続していない場合、速やかにＩＰアドレスを開放して、交換局装置１０側がＩＰアドレスを有効に活用することができる。
【００７０】
（実施の形態７）
次に、図１および図８を参照して、本発明の実施の形態７による加入者モデム１の基本的な動作を説明するとともに、これにより、本発明の通信制御方法の一実施の形態について説明を行う。
【００７１】
まず、最初に加入者モデム１の初期化が行われる（Ｓ８０）。そして、タイマ５に設定部６から検出期間Ｔを設定し（Ｓ８１）、タイマ５を起動する（Ｓ８２）。このとき、検出期間Ｔはあらかじめ設定された値を使用してもよい。
【００７２】
この後、加入者端末機接続状態検出部４は、加入者モデム１と加入者端末機９間の送受信データの存在を示す信号が授受されているか否かを監視し、前記信号が授受されていない状態が検出期間Ｔ継続しているか否か、すなわち上記各実施の形態と同様の非接続状態を検出する（Ｓ８３）。
【００７３】
制御部８は、加入者端末機接続状態検出部４において加入者端末機９の非接続状態が検出された場合にタイマ５を停止する（Ｓ８４）。そして、加入者モデム１自身のＩＰアドレスをリリースする（Ｓ８５）。その後、再度タイマ５を起動する（Ｓ８２）。
【００７４】
一方、加入者端末機接続状態検出部４において加入者端末機９の接続状態が検出された場合はタイマ５を停止（Ｓ８６）し、接続に用いられている、交換局装置１０から新たに配布されたＩＰアドレスを、ＲＡＭ７ｂのＩＰアドレステーブルに保存する。その後、再度タイマ５を起動する（Ｓ８２）。なお、交換局装置１０側でＤＨＣＰ  ＲＥＬＥＡＳＥメッセージが処理されると、交換局装置１０と加入者端末機９との通信は結果的に停止する。
【００７５】
以上のように、本実施の形態によれば、加入者モデム１側で、交換局装置１０と加入者端末機９との間の通信状態を監視し、これに基づき交換局装置１０側に、自らのＩＰアドレスをリリースさせるようにした。これにより、加入者端末機９がネットワークに接続していない場合、速やかにＩＰアドレスを開放して、交換局装置１０側がＩＰアドレスを有効に活用することができる。
【００７６】
なお、上記の各実施の形態の動作において、加入者モデム１と加入者端末機９との間の非接続状態は、本発明の、通信状態が所定期間途絶していることに相当する。検出期間Ｔは、本発明の所定時間に対応する。また、加入者端末機９へ送信するＤＨＣＰ  ＮＡＫメッセージは、本発明の、割り当てられているＩＰアドレスを破棄する旨の命令に相当する。
【００７７】
また、上記の各実施の形態においては、ＤＨＣＰサーバを持つ交換局装置１０／クライアントとしての加入者モデム１，加入者端末機９間の通信において本発明を実施するものとして説明を行ったが、本発明は、ＩＰアドレスを扱うものであれば、あらゆる通信規格に基づき動作するものにおいて実施してもよい。例えば、ケーブルインターネット規格ＤＯＣＳＩＳなどで実施してもよい。
【００７８】
また、上記の各実施の形態における「通信停止信号」（Ｓ１６，Ｓ２５，Ｓ３８，Ｓ４８）とは、通信それ自身のための命令およびモデム制御用の通信以外の受信以外の通信を停止する旨の命令であって、ＤＨＣＰ  ＲＥＬＥＡＳＥメッセージや、ケーブルインターネット規格ＤＯＣＳＩＳにおける送信電力制御などの加入者モデム制御用のメッセージは上記通信停止信号により通信が停止した後も、交換局装置１０と、クライアントとしての加入者モデム１，加入者端末機９との間で授受可能である。
【００７９】
なお、本発明にかかるプログラムは、上述した本発明の通信制御方法の全部または一部の工程の動作をコンピュータにより実行させるためのプログラムであって、コンピュータと協働して動作するプログラムであってもよい。
【００８０】
また、本発明は、上述した本発明の通信制御方法の全部または一部の工程の全部または一部の動作をコンピュータにより実行させるためのプログラムを担持した媒体であり、コンピュータにより読み取り可能且つ、読み取られた前記プログラムが前記コンピュータと協動して前記動作を実行する媒体であってもよい。
【００８１】
なお、本発明の上記「一部の工程」とは、それらの複数の工程の内の幾つかの工程を意味し、あるいは、一つの工程の内の一部の動作を意味するものである。
【００８２】
また、本発明のプログラムを記録した、コンピュータに読みとり可能な記録媒体も本発明に含まれる。
【００８３】
また、本発明のプログラムの一利用形態は、コンピュータにより読み取り可能な記録媒体に記録され、コンピュータと協働して動作する態様であっても良い。
【００８４】
また、本発明のプログラムの一利用形態は、伝送媒体中を伝送し、コンピュータにより読みとられ、コンピュータと協働して動作する態様であっても良い。
【００８５】
また、記録媒体としては、ＲＯＭ等が含まれ、伝送媒体としては、インターネット等の伝送機構、光・電波・音波等が含まれる。
【００８６】
また、上述した本発明のコンピュータは、ＣＰＵ等の純然たるハードウェアに限らず、ファームウェアや、ＯＳ、更に周辺機器を含むものであっても良い。
【００８７】
なお、以上説明した様に、本発明の構成は、ソフトウェア的に実現しても良いし、ハードウェア的に実現しても良い。
【産業上の利用可能性】
【００８８】
本発明にかかる接続状態によるモデムの制御方法は、不要トラフィックの排除による通信速度の向上、ＩＰアドレスの有効利用の効果を有し、ＡＤＳＬやケーブルモデム等の通信システムに有用である。
【図面の簡単な説明】
【００８９】
【図１】本発明の実施の形態１〜７に係る加入者モデム１のブロック図
【図２】実施の形態１に係る加入者モデムの動作のフローチャートを示す図
【図３】実施の形態２に係る加入者モデムの動作のフローチャートを示す図
【図４】実施の形態３に係る加入者モデムの動作のフローチャートを示す図
【図５】実施の形態４に係る加入者モデムの動作のフローチャートを示す図
【図６】実施の形態５に係る加入者モデムの動作のフローチャートを示す図
【図７】実施の形態６に係る加入者モデムの動作のフローチャートを示す図
【図８】実施の形態７に係る加入者モデムの動作のフローチャートを示す図
【符号の説明】
【００９０】
１  加入者モデム
２  第１インターフェース
３  第２インターフェース
４  加入者端末機接続状態検出部
５  タイマ
６  タイマ設定部
７  記憶装置
７ａ  ＲＯＭ
７ｂ  ＲＡＭ
８  制御部
９  加入者端末機
１０  交換局装置
【図１】
2006121214.tif 000003
【図２】
2006121214.tif 000004
【図３】
2006121214.tif 000005
【図４】
2006121214.tif 000006
【図５】
2006121214.tif 000007
【図６】
2006121214.tif 000008
【図７】
2006121214.tif 000009
【図８】
2006121214.tif 000010